(57)【要約】      （修正有）【課題】ナイロンコ−ドを用いた刈払機用のコード保持装着であり、簡単、且つ、短時間でナイロンコードの取替え及び駆動軸への着脱が可能なコード保持装置を提供する。【解決手段】コード保持装着１は本体部２とカバー部３よりなり、本体部は、カバー部の円筒胴３１を着脱自在に嵌着する二重の円筒壁２４と、該壁の内周に一対のカバー部係止片と、カバー部を固定する固定機構と、複数のナイロンコード５の係止ピン２３が設けられている。カバー部は、本体部に着脱自在に嵌着する円筒胴及び係止部と、ナイロンコードを巻回保持する大径フランジ３２ａ及び小径フランジ３２ｂ並びに保持空間３５と、ナイロンコードを挿通するコード挿通孔とナイロンコードを引出す引出溝が形成されている。【選択図】図１
0003225447.tif 000002
【実用新案登録請求の範囲】
【請求項１】
刈払機の駆動軸に着脱自在に取付けられ、本体部とカバー部よりなるコード保持装置において、
前記本体部は、刈払機の駆動軸を取付ける取付穴が軸心に設けられ、前記取付穴の外周部にはカバー部の円筒胴を着脱自在に嵌着する二重の円筒壁が形成され、前記円筒壁の内周壁には一対のカバー部係止片が形成され、前記いずれかのカバー部係止片から前記本体部の外周縁に向けて前記カバー部を固定する固定機構が形成され、前記本体部の外周縁部には、複数のナイロンコード係止ピンが設けられており、
前記カバー部は、内部に空間を有する有底の円筒胴が設けられ、前記円筒胴の基端円周部には前記本体部に着脱自在に嵌着する一対の係止部が形成され、前記円筒胴の外周部には、ナイロンコードを巻回して保持する大径フランジ及び小径フランジが設けられ、この大径フランジ及び小径フランジに挟まれた筒状胴部には、ナイロンコードを挿通する一対のコード挿通孔が設けられ、前記大経フランジの外周部には前記ナイロンコードを引出す引出溝が形成されていることを特徴とする刈払機のコード保持装置。
【請求項２】
前記本体部に設けられた二重の円筒壁に、前記カバー部の基端円周部を挿入又は引出しすることにより、前記本体部と前記カバー部を着脱することを特徴とする請求項１に記載の刈払機のコード保持装置。
【請求項３】
前記本体部の取付穴の外周近傍と前記カバー部の有底部分には、対向する位置にマグネットが練り込まれていることを特徴とする請求項１又は２に記載の刈払機のコード保持装置。
【考案の詳細な説明】
【技術分野】
【０００１】
この考案は、雑草等を刈払う刈払機に係るもので、より詳しくはナイロンコ−ド等を用いた刈払機のコード保持装置に関するものである。
【背景技術】
【０００２】
従来、回転軸に着脱自在に固着される円盤等の回転板体に対して、これの周辺に一定長の刈払い用の弾性コードを刈刃として突出させ、前記円盤の回転により前記弾性刈刃コードを前記円盤と一体に回転させて雑草などを刈払う刈払機について種々の技術が提案されている。また、前記弾性刈刃コードは比較的硬質の合成樹脂製コードやバネ線材を用いて形成され、一定長が前記円盤の外周に臨むように、該円盤に強大な遠心力を受けても容易に抜けないように取り付けられている。
【０００３】
例えば、コード型刈払機のコード収納部材Ｂのコード保持機構としては、コード５の端部に結び目を作り、コードの本体ケース外部への抜け出しを防止するものがある。これはコードの中央部をコード収納部材の筒状胴部外面に設けたフックに引掛けて、コードを保持し該コード収納部材に巻回収納するものである（特許文献１参照。）。
また、コード収納部材の筒状胴部外面に設けたコード保持部の貫通孔にコードの端部をコード中央部が該コード保持部に至るまで通し、該コード中央部でコードを折り曲げて、該コードをコード収納部材に巻回収納するものがある（特許文献２参照。）。
【先行技術文献】
【特許文献】
【０００４】
【特許文献１】実公平２−５７１５号公報
【特許文献２】実公平１−３５６２９号公報
【考案の概要】
【考案が解決しようとする課題】
【０００５】
前記特許文献１．２に示すコード保持機構は、ナイロンコードの端部に係止部材をカシメ等によって固定する必要がある。しかし、刈刃用として特別に作成された高価な定尺ナイロンコードなどを用いており、加えて、前記コードの交換が構造上から面倒になるなどの問題点があった。
【課題を解決するための手段】
【０００６】
前記課題を解決するために、本考案の刈払機のコード保持装置（以下、コード保持装置という）は、刈払機の駆動軸に着脱自在に取付けられ、本体部とカバー部より構成されている。前記本体部は、刈払機の駆動軸を取付ける取付穴が軸心に設けられ、前記取付穴の外周部にはカバー部の円筒胴を着脱自在に嵌着する二重の円筒壁が形成され、前記円筒壁の内周壁には一対のカバー部係止片が形成され、前記いずれかのカバー部係止片から前記本体部の外周縁に向けて前記カバー部を固定する固定機構が形成され、前記本体部の外周縁部には、複数のナイロンコード係止ピンが設けられている。
【０００７】
前記カバー部は、内部に空間を有する有底の円筒胴が設けられ、前記円筒胴の基端円周部には前記本体部に着脱自在に嵌着する一対の係止部が形成され、前記円筒胴の外周部には、ナイロンコードを巻回して保持する大径フランジ及び小径フランジが設けられ、この大径フランジ及び小径フランジに挟まれた筒状胴部には、ナイロンコードを挿通する一対のコード挿通孔が設けられ、前記大経フランジの外周部には前記ナイロンコードを引出す引出溝が形成されている、
【０００８】
また、前記本体部の二重の円筒壁にカバー部の円筒胴の基端円周部を近づけると、本体部及びカバー部に埋設されたマグネットの作用により、容易に挿入して締結できる。
【考案の効果】
【０００９】
本考案によるコード保持装置では、カバー部の大径フランジと小径フランジ間に筒状胴部の内周部から外周部に貫通する２個のコード挿通孔が近接して設けられている。これにより、筒状胴部の外周にナイロンコードを巻回する際、ナイロンコードの端部を一方の挿通孔の内側から外側に挿入後、ナイロンコードの他端部を他方の挿通孔の内側から外側に取り出して、二本のナイロンコードの先端を引き出し、前記ナイロンコードの係止部を筒状胴部の外周部に巻回することにより、ナイロンコードの巻回収納作業を容易に行うことができる。また、本体部とカバー部には、前記本体部の二重の円筒壁にカバー部の円筒胴の基端円周部を近づけると、本体部及びカバー部に埋設されたマグネットの作用により、容易に挿入が可能となり、迅速に締結作業をすることができる。
【図面の簡単な説明】
【００１０】
【図１】本考案のコード保持装置の組立断面図である。
【図２】本考案の本体部の正面図である。
【図３】本考案の本体部の背面図である。
【図４】本考案のカバー部の正面図である。
【図５】本考案のカバー部の背面図である。
【図６】本考案の本体部にカバー部を挿入した状態を示す説明図である。
【図７】本考案の本体部の固定機構の説明図であり、（ａ）は固定機構が開状態であり、（ｂ）は固定機構が閉状態である。
【図８】本考案の固定機構の動作説明図である
【考案を実施するための形態】
【００１１】
本考案の実施形態について、図面に基づいて説明するが、本考案はこれに限定されるものではなく、要旨を変更しない範囲において適宜変更が可能である。
図１において、１はコード保持装置、２は本体部、２１は取付穴、２２は補強輪、２３はピンである。３はカバー部、３１は有底円筒胴、３２ａは大経フランジ、３２ｂは小径フランジ、５はナイロンコードである。前記本体部２及びカバー部３は、合成樹脂により成形されている。
【００１２】
図２及び図３に示すように、本体部２は、手で把持し易いように、外周部は凹凸状に形成されている。前記本体部２は刈払機の駆動軸を取付る取付穴２１が軸心に設けられ、前記取付穴２１には刈払機の駆動軸を取付けるために、金属製（例えば、ステンレス鋼）の補強輪２２が設けられている。前記取付穴２１の外周部にはカバー部３の有底円筒胴３１の円周部分を着脱自在に嵌着する二重の円筒壁２４が形成されている。前記円筒壁２４の内側周壁にはカバー部３の円筒銅３１を挿入して所定角度を回動することにより係止する一対の係止片２５が形成されている。
【００１３】
前記本体部２の外周近傍の円周上には、等間隔で３個のピン２３が設けられている。このピン２３は、ナイロンコード５をカバー部３に巻回したとき、前記ナイロンコード５が弾性力によりコード保持装置１から飛び出すのを防止している。また、前記ナイロンコード５は本体部２の外周縁から延出されて遠心力により雑草などを刈払いするが、大きな荷重がかかると前記係止ピン２３で係止されるので、筒状胴部に巻回保持されているナイロンコード５に絡むことがない。
【００１４】
また、前記いずれかの係止片２５から外周部の凹状部分に向けて、前記カバー部３の回動を固定する固定機構２７が形成されている、前記固定機構２７は、軸心方向に上下する（図３参照）もので。押圧部２８を軸心方向に押し下げると前記本体部２とカバー部３が締結される。連結を解除するときは、前記固定機構２７を軸心とは逆方向に引き上げる。
【００１５】
図４において、カバー部３は、内部に空間を有する有底円筒胴３１が設けられ、前記有底円筒胴３１の基端の円周部３３には本体部２に着脱自在に嵌着する一対の係止部３４が形成されている。円筒胴３３の側面から円周方向には、ナイロンコー５ドを巻回して保持する大径フランジ３２ａ及び小径フランジ３２ｂが立設され、この大径フランジ３２ａ及び小径フランジ３２ｂに挟まれた空間部３５には、ナイロンコード５を挿通する一対のコード挿通孔３６が設けられている。前記大経フランジ３２ａの外周部には前記ナイロンコード５を引出す一対の引出溝３７が形成されている。
【００１６】
図５において、ナイロンコード５（記載しない）を引出す引出溝３７は、カバー部３の円周縁から軸心方向に向けて略Ｔ形の切込が、ナイロンコード５が挿通可能な幅で彫設されており、前記切込の斜面（板厚）３９は、コード保持装置１の回転方向（矢印方向）とは反対方向に向けて斜面が形成されている。これにより前記ナイロンコード５が前記コード保持装置１から円滑に引出されて、遠心力により放射状に伸張して刈払作業を行うことができる。
【００１７】
なお、本実施形態では、１本のナイロンコード５を使用する例を示しているが、ナイロンコード５を２本使用するときは、挿通孔３６とは反対側の相対位置に形成されている挿通孔３６を使用すればよい。また、前記挿通孔３６は矩形としているが、これに限定されるものではなく、円形、楕円形、多角形などにすることができる。
【００１８】
図６において、本体部２のハッチングＡは凸状となっており、ハッチングＢは理解を容易とするために、カバー部３の基端円周部３３を挿入した状態を示している。本体部２の外周に形成された円弧部分の凹凸形状は、本体部２を手等で容易に把持できるように形成したものである。
【００１９】
以下、図６、図７を参照して、本体部２とカバー部３の締結手順を説明する。カバー部３にナイロンコード５（図示しない）が巻回されて、その両端部がコード挿通孔３６から引出される。この状態で、本体部２の正面側に形成されている二重の円筒壁２４の隙間にカバー部３の基端円周部３３を挿入（図６参照）した後、本体部２とカバー部３を相対的に回転（例えば、本体部２を固定した状態でカバー部３を矢印方向に回転）させ、本体部２に形成された係止片２５と、カバー部３に形成された係止片３４を嵌合（図７参照）する。
【００２０】
図８（ａ）は本体部２にカバー部３が嵌合された状態を示す部分説明図である。この状態で固定機構２７の押圧部２８を矢印方向に押し下げると、図８（ｂ）に示すように、本体部２とカバー部３が固定される。また、前記固定機構２７を本体２の外周側に引き上げると、前記カバー部３は本体部２から取外すことができる。また、前記カバー部３の着脱作業は、本体部２を刈払機の駆動軸に装着したまま行うことができるので、ナイロンコード５を交換する際に、前記本体部２を刈払機の駆動軸から外す手間が不要となり、ナイロンコード５の取替作業効率が一段と向上する。
【産業上の利用可能性】
【００２１】
本考案のコード保持装置は、ナイロンコードの交換が容易であるだけでなく、本体部とカバー部の着脱が極めて容易、且つ、短時間で行うことができるので、ナイロンコードを用いた刈払機に広く利用することができる。
【符号の説明】
【００２２】
１  コード保持装置
２  本体部
２１  取付穴
２２  補強輪
２３  ピン
２４  円筒壁
２５  係止片
２６  筒状同部
２７  固定機構
２８  押圧部
３  カバー部
３１  有底円筒胴
３３  基端円周部
３４  係止片
３５  空間部
３６  挿入孔
３７  引出溝
５  ナイロンコード
Ａ  ハッチング
Ｂ  ハッチング
【図１】
0003225447.tif 000003
【図２】
0003225447.tif 000004
【図３】
0003225447.tif 000005
【図４】
0003225447.tif 000006
【図５】
0003225447.tif 000007
【図６】
0003225447.tif 000008
【図７】
0003225447.tif 000009
【図８】
0003225447.tif 000010